(57)【要約】【課題】  液体容器等の物を保持することができる液体容器保持具及び平面状の物保持具を提供することを課題とする。【解決手段】  液体容器保持具１は、四角形状のベース２に上に液体容器７１を立て掛ける四角形を底面とする四角錐形状の凸部３と、主に該液体容器７１が液体容器保持具１から滑り落ちないように該液体容器７１を係止する係止部４〜７と、が備えられている。これにより、凸部３と何れかの係止部（ここでは係止部５）の間に液体容器７１を置くことにより、液体容器７１は凸部３に寄りかかることにより反対側に倒れることはなく、係止部（４〜７）により液体容器７１がすべり落ちること名がない。つまり、凸部３と係止部（４〜７）で液体容器７１は確実に保持される。【選択図】  図１
2007236522.tif 000002
【特許請求の範囲】
【請求項１】
液体容器を保持する元となる平面状のベースと、
前記ベースの上に突出するように設けられ、底面が多角形である凸部と、
前記ベースの上に前記凸部の外周に、該凸部の底辺と略並行に設けられた前記液体容器の滑りを止める係止部と、
を備えることを特徴とする液体容器保持具。
【請求項２】
前記凸部は、
底面が三角形又は四角形であることを特徴とする請求項１記載の液体容器保持具。
【請求項３】
前記係止部は、
該係止部が略並行に設けられた前記凸部の底辺と隣接する２つの底辺の延長線上の範囲内にあることを特徴とする請求項１又は２記載の液体容器保持具。
【請求項４】
前記係止部は、
前記凸部の各底辺に備えられていることを特徴とする請求項１乃至３の何れかに記載の液体容器保持具。
【請求項５】
前記係止部の長手方向の端は、
該長手方向の端が、該係止部が略並行に設けられた前記凸部の底辺と隣接する底辺の延長線上の位置にある場合は、少なくとも、該長手方向の端と前記凸部の底辺に隣接する底辺が有する面とが同一平面上となるように形成されることを特徴とする請求項１乃至４の何れかに記載の液体容器保持具。
【請求項６】
前記ベースの上に前記凸部を複数設けたことを特徴とする請求項１乃至５の何れかに記載の液体容器保持具。
【請求項７】
前記凸部は、
少なくとも１つの底辺が他の前記凸部の底辺の１つと並行するように対向して設けられたことを特徴とする請求項６記載の液体容器保持具。
【請求項８】
前記係止部は、
前記凸部と他の前記凸部とが対向して設けられていない底辺に設けられていることを特徴とする請求項７記載の液体容器保持具。
【請求項９】
液体容器を保持する元となる平面状のベースと、
前記ベース上に、三角形又は四角形の形状となるように設けられた第１の溝部と、
前記ベース上に、前記第１の溝部の中に格子状となるように設けられた第２の溝部と、
前記第１の溝部及び前記第２の溝部で囲まれて形成される三角形又は四角形の上に設けられた該三角形又は四角形を底面とする凸部と、
前記ベース上に前記第１の溝部の外周に設けられた前記液体容器の滑りを止める係止部と、
を備えることを特徴とする液体容器保持具。
【請求項１０】
前記係止部は、
前記第１の溝部と前記第２の溝部とが重なる部分に相応して区切られて、前記第１の溝部の外周に設けられていることを特徴とする請求項９記載の液体容器保持具。
【請求項１１】
前記係止部は、
前記第１の溝部の頂点の部分に相応して区切られて、前記第１の溝部の外周に設けられていることを特徴とする請求項９又は１０記載の液体容器保持具。
【請求項１２】
前記ベースは、
多角形の形状を有しており、
前記凸部は、
底面の形状が前記ベースと略相似の関係にあることを特徴とする請求項１乃至１１の何れかに記載の液体容器保持具。
【請求項１３】
前記凸部は、
錐体であることを特徴とする請求項１乃至１２の何れかに記載の液体容器保持具。
【請求項１４】
平面状の物を保持する元となる平面状のベースと、
前記ベースの上に突出するように設けられ、底面が多角形である凸部と、
前記ベースの上に前記凸部の外周に、該凸部の底辺と略並行に設けられた前記液体容器の滑りを止める係止部と、
を備えることを特徴とする平面状の物保持具。
【発明の詳細な説明】
【技術分野】
【０００１】
本発明は、液体容器保持具及び保持具に関し、詳しくは、液体容器などの平面状の物を保持することができる液体容器保持具及び平面状の小物保持具に関する。
【背景技術】
【０００２】
従来、平面状の物として、たとえば納豆や醤油のたれが詰められた容器、宿泊施設に備えられているシャンプーやリンスが詰められた容器、あるいは試供品として配られる化粧品が詰められた容器などがある（図７の納豆のたれ容器７１を参照）。
これらの容器７１は、通常、数センチメートル四方の形状で、ポリエチレン（ＰＥ）やポリアミド（ＰＡ）などのプラスチック素材から形成された柔軟な袋状の容器７１となっている。
これらの袋状容器７１の内、納豆や醤油のたれが詰められた容器７１については、切口を切り開いて所望量が用いられた後は皿の上に置かれることがある。
【発明の開示】
【発明が解決しようとする課題】
【０００３】
しかしながら、一般的な皿は平面か平面に近い形状となっているため、開封後の袋状容器７１を置く際には横に倒して寝かせることになり、その結果使い残しの液体が皿の上に流れ出してしまい、その使い残しを再使用することが困難であるという問題点があった。また、テーブルに直接置いた場合、その液体がテーブルにこぼれてしまい、テーブルが汚れてしまうという問題点があった。
また、その他の液体が詰められた袋状容器７１についても、置場所の径庭こそあれ、浴室内の平らなスペース等に置くことにより、再使用することが困難であるという問題点が等しく生じていた。
【０００４】
本発明は、上記背景に鑑みてなされたものであり、液体容器等の物を保持することができる液体容器保持具及び平面状の物保持具を提供することを目的とする。
【課題を解決するための手段】
【０００５】
上記課題を解決するために、請求項１記載の液体容器保持具は、液体容器を保持する元となる平面状のベースと、
前記ベースの上に突出するように設けられ、底面が多角形である凸部と、
前記ベースの上に前記凸部の外周に、該凸部の底辺と略並行に設けられた前記液体容器の滑りを止める係止部と、
を備えることを特徴とする。
【０００６】
また、請求項１に従属する請求項２記載の液体容器保持具は、前記凸部は、
底面が三角形又は四角形であることを特徴とする。
【０００７】
また、請求項１又は２に従属する請求項３の液体容器保持具は、前記係止部は、
該係止部が略並行に設けられた前記凸部の底辺と隣接する２つの底辺の延長線上の範囲内にあることを特徴とする。
【０００８】
また、請求項１乃至３の何れかに従属する請求項４記載の液体容器保持具は、前記係止部は、
前記凸部の各底辺に備えられていることを特徴とする。
【０００９】
また、請求項１乃至４の何れかに従属する請求項５記載の液体容器保持具は、前記係止部の長手方向の端は、
該長手方向の端が、該係止部が略並行に設けられた前記凸部の底辺と隣接する底辺の延長線上の位置にある場合は、少なくとも、該長手方向の端と前記凸部の底辺に隣接する底辺が有する面とが同一平面上となるように形成されることを特徴とする。
【００１０】
また、請求項１乃至５の何れかに従属する請求項６記載の液体容器保持具は、前記ベースの上に前記凸部を複数設けたことを特徴とする。
【００１１】
また、請求項６に従属する請求項７記載の液体容器保持具は、前記凸部は、
少なくとも１つの底辺が他の前記凸部の底辺の１つと並行するように対向して設けられたことを特徴とする。
【００１２】
また、請求項７に従属する請求項８記載の液体容器保持具は、前記係止部は、
前記凸部と他の前記凸部とが対向して設けられていない底辺に設けられていることを特徴とする。
【００１３】
上記課題を解決するために、請求項９記載の液体容器保持具は、液体容器を保持する元となる平面状のベースと、
前記ベース上に、三角形又は四角形の形状となるように設けられた第１の溝部と、
前記ベース上に、前記第１の溝部の中に格子状となるように設けられた第２の溝部と、
前記第１の溝部及び前記第２の溝部で囲まれて形成される三角形又は四角形の上に設けられた該三角形又は四角形を底面とする凸部と、
前記ベース上に前記第１の溝部の外周に設けられた前記液体容器の滑りを止める係止部と、
を備えることを特徴とする。
【００１４】
また、請求項９に従属する請求項１０記載の液体容器保持具は、前記係止部は、
前記第１の溝部と前記第２の溝部とが重なる部分に相応して区切られて、前記第１の溝部の外周に設けられていることを特徴とする。
【００１５】
また、請求項９又は１０に従属する請求項１１記載の液体容器保持具は、前記係止部は、
前記第１の溝部の頂点の部分に相応して区切られて、前記第１の溝部の外周に設けられていることを特徴とする。
【００１６】
また、請求項１乃至１１の何れかに従属する請求項１２記載の液体容器保持具は、前記ベースは、
多角形の形状を有しており、
前記凸部は、
底面の形状が前記ベースと略相似の関係にあることを特徴とする。
【００１７】
また、請求項１乃至１２の何れかに従属する請求項１３記載の液体容器保持具は、前記凸部は、
錐体であることを特徴とする。
【００１８】
上記課題を解決するために、請求項１４記載の平面状の物保持具は、平面状の物を保持する元となる平面状のベースと、
前記ベースの上に突出するように設けられ、底面が多角形である凸部と、
前記ベースの上に前記凸部の外周に、該凸部の底辺と略並行に設けられた前記液体容器の滑りを止める係止部と、
を備えることを特徴とする。
【発明の効果】
【００１９】
本発明の液体容器保持具によれば、液体容器を保持する元となる平面状のベースと、前記ベースの上に突出するように設けられ、底面が多角形である凸部と、前記ベースの上に前記凸部の外周に、該凸部の底辺と略並行に設けられた前記液体容器の滑りを止める係止部と、を備えるようにしたので、液体容器を立て掛けることができ、開封された液体容器の中に入っている液体がこぼれずに済み、汚れることがない。また、液体を有効活用することができ、使い残しを再び使用することができる。
また、本発明の平面状の物保持具によれば、平面状の物を簡単に立て掛けることができる。
【発明を実施するための最良の形態】
【００２０】
以下、添付図面を参照しつつ、本発明の液体容器保持具及び平面状の物保持具を実施するための最良の形態について説明する。なお、図面中同一の参照番号は、同一部材ないし同一部分を指示するものである。
【００２１】
［第１実施形態］
Ａ．第１の実施の形態における液体容器保持具の構成
図１は、第１実施形態に係る本発明の液体容器保持具１の斜視図である。
保持具１は、数センチメートル四方の四角形状のベース２を備えている。
ベース２の一辺の長さ（図１中のＬ）は、どの程度の大きさの液体容器を立て掛けるかという点によって種々の値をとりうるが、世の中に流通している液体容器の通常の大きさに鑑みると、３センチメートル乃至５センチメートルであることが望ましい。
【００２２】
ベース２上には、液体容器７１を立て掛ける凸部３と、主に該液体容器７１が液体容器保持具１から滑り落ちないように該液体容器７１を係止する係止部４〜７と、が備えられている。
【００２３】
もっとも、係止部は４つ備えなくても、１つだけであっても良い。
すなわち、ベース２上には、１つの凸部と１つの係止部とが備えられていれば良い。
たとえば、凸部３と係止部５〜７とを一体化して１つの凸部としたり、あるいはまた係止部４〜７を一体化して１つの係止部としたりしても良い。
要するに、ベース上に、液体容器７１を立て掛ける部分としての凸部と、立て掛けられた液体容器７１が滑り落ちないようにする係止部とが備えられていれば良く、これら凸部及び係止部を幾つ設けるか又は形状をどのようにするかということは設計事項の範囲内に過ぎない。
【００２４】
凸部３は、底面の一辺の長さが、ベース２の一辺の長さよりも、例えば、１センチメートルほど短い長さの四角形を底面とする四角錐形状をしている。なお、凸部３は四角柱の形状であってもよい。
凸部３の高さもまた、どの程度の大きさの液体容器７１を立て掛けるかという点によって種々の値をとりうるが、世の中に流通している液体容器７１の通常の大きさに鑑みると、例えば、ベース２の上面から計測して１センチメートル乃至３センチメートルであることが望ましい。
【００２５】
係止部４〜７は、凸部３の高さよりも低い高さとなっているが、立て掛けられる液体容器７１が滑り落ちなければ、さまざまの値をとることが可能である。
また図１の液体容器保持具１は、各辺に１つの係止部を備える構成となっているが、各辺に２つ以上の係止部を備える構成としても良い。
もちろん、その際の係止部の形状は、立て掛けられる液体容器７１が滑り落ちなければ、さまざまの形状を取ることができる。たとえば、四角柱であっても、円柱であっても良い。
【００２６】
図２は、図１に示された液体容器保持具１の上面図（図２（ａ））及び立面図（図２（ｂ））である。
図２（ａ）及び図２（ｂ）から理解できるように、各係止部４〜７の短手方向の側面（図２（ａ）の斜線部）は、凸部３の面と同一平面を成すようになっている。
これは、すなわち、各係止部４〜７が立て掛けられる液体容器７１をただ単に滑り落ちないように係止するだけでなく、凸部３の各面と相俟って該液体容器７１を立て掛けることができるようにするためである。
このように、各係止部の短手方向側面と凸部の各面とを同一平面を成すように形成することにより、より広い立掛面を提供することができる。
【００２７】
Ｂ．次に液体容器がどのように保持されるのかについて説明する。
図３に示すように、凸部３と何れかの係止部（ここでは係止部５）の間にシャンプーや醤油などが詰められた液体容器７１を置くことにより、液体容器７１が保持され、開封された液体容器７１から液体がこぼれることがない。また、凸部３を四角錐の形状にすることにより、液体容器７１の上部が凸部３に寄りかかるので、液体容器７１が凸部３とは反対方向に倒れることはなく、液体容器７１を確実に保持することができる。
また、図２の太い点線は、液体容器７１を保持することができる位置を示すものである。図に示すように、液体容器７１は、四角錐である凸部３の４辺（面）に沿って液体容器７１を置くことが可能である。
【００２８】
ここで、係止部の長手方向の長さを、凸部３の底辺の長さと同じにし、且つ、係止部の短手方向の面と凸部３の面とを同一平面上にすることで、凸部３の面と相俟って該液体容器７１を立て掛けることができ、安定的に液体容器７１を保持することができる。
また、係止部の長手方向の長さを凸部３の底辺の長さより長くしないことで、ベース２より長い液体容器７１の保持することができる。
【００２９】
なお、凸部３の面の傾きと同じ傾きとなる様に、係止部の短手方向の面に傾きを持たせるようにしてもよい。なぜならば、凸部３が四角錐なのに、係止部の短手方向の面の傾きが９０度の場合は、凸部３の面と係止部とが相俟って液体容器７１を確実に保持することができないからである。
また、係止部の長手方向の長さはと凸部３の底辺と同じ長さにするようにしたが、凸部３の底辺より短くするようにしてもよい。この場合には、凸部３の1面のみが液体容器７１の立て掛け面となる。
【００３０】
［第２実施形態］
次に第２の実施の形態について説明する。
Ｃ．第２の実施の形態における液体容器保持具の構成
図４（ａ）は、第２実施形態に係る本発明の液体容器保持具１１の斜視図である。
液体容器保持具１１が第１実施形態の液体容器保持具１と異なるのは、ベース１２の形状が正四角形でなく三角形となっており、これに応じて凸部１３が三角錐となり、係止部の数が４つから３つ（係止部１４〜１６）になっているという点である。
各部材の大きさや機能は第１実施形態のそれらと異ならず、たとえば各係止部１４〜１６の短手方向の側面は凸部１３の各面と同一平面を成している。
【００３１】
このとき、図４（ｂ）を見るとわかるように、係止部（１４〜１６）の長手方向の長さは、該係止部が略並行に設けられた底辺と、隣接する２つの底辺の延長線上（図４（ｂ）の点線）で丁度区切られているのがわかる。このときも、第１の実施の形態と同様に、係止部の短手方向の面と凸部３の面とが同一平面上になるようにする。これにより、液体容器７１を凸部３の面と相俟って該液体容器７１を立て掛けることができる。
なお、係止部（１４〜１６）の長手方向の長さを、該係止部が略並行に設けられた底辺と、隣接する２つの底辺の延長線上（図４（ｂ）の点線）で区切られた長さより短くするようにしてもよい。この場合には、凸部３の1面のみが液体容器７１の立て掛け面となる。
【００３２】
［第３実施形態］
次に第３の実施の形態について説明する。
Ｄ．第３の実施の形態における液体容器保持具の構成
図５は第３実施形態に係る本発明の液体容器保持具２１の斜視図である。
これらの液体容器保持具２１は、端的には、それぞれ、第１実施形態の液体容器保持具１を４つ繋ぎ合わせた実施形態である。
これらのように、第１実施形態のように基本となる形状を定め、これを複数組み合わせることによって様々なバリエーションを形成してよい。
その際、同一形状のもののみを複数個組み合わせるだけでなく、異なる形状のものを任意に組み合わせても良い。
図を見るとわかるように、各々の凸部（２３〜２６）が対向して設けられている底辺には係止部が設けられておらず、各々の凸部が対向して設けられていない底辺に係止部が設けられている。なぜならば、各々の凸部が対向して設けられている底辺について、互いの凸部がそれぞれ凸部と係止部として役割を果たすからであり、別個に係止部を設ける必要はないからである。
このように凸部を複数設けることにより、液体容器７１を立て掛けることができる自由度が増え、どの角度からでも容易に液体容器７１を立て掛けることができる。
【００３３】
また、第３の実施の形態は、別の説明をすると、四角形のベース２２に四角形の溝を設け、その四角形の溝（第１の溝）内に格子状の溝（第２の溝）を設け、その第１の溝と第２の溝で形成される四角形の上に、底面を四角形とする凸部２３〜２６を設けている。
そして、第１の溝の外周に係止部を設けている。このとき、係止部の設け方は、第１の溝と第２の溝が重なる部分、及び、第１の溝の頂点の部分（四角形状である第１の溝の各頂点）に相応する部分を区切って係止部を設けるようにする。そして、この区切られたそれぞれの係止部が図の係止部２７〜３４となっている。
【００３４】
なお、第１の実施の形態における液体容器保持具１を単に繋ぎ合わせるようにしてもよい。この場合には、各凸部２３〜２６の各底辺の周りに係止部が設けられることになり、凸部と凸部の間には２つの係止部が並行して設けられる。
また、凸部と凸部との間に設ける係止部を１つにしてもよい。
【００３５】
［第４実施形態］
次に第４の実施の形態について説明する。
Ｅ．第４の実施の形態における液体容器保持具の構成
図６は第４実施形態に係る本発明の液体容器保持具４１の斜視図である。
これらの液体容器保持具４１は、端的には、それぞれ、第２実施形態の液体容器保持具１を４つ繋ぎ合わせた実施形態である。
これらのように、第２実施形態のように基本となる形状を定め、これを複数組み合わせることによって様々なバリエーションを形成してよい。
その際、同一形状のもののみを複数個組み合わせるだけでなく、異なる形状のものを任意に組み合わせても良い。
第３の実施の形態と同様に、図を見るとわかるように、各々の凸部（４３〜４６）が対向して設けられている底辺には係止部が設けられておらず、各々の凸部が対向して設けられていない底辺に係止部が設けられている。なぜならば、各々の凸部が対向して設けられている底辺について、互いの凸部がそれぞれ凸部と係止部として役割を果たすからであり、別個に係止部を設ける必要はないからである。
このように、複数の凸部を設けることにより、液体容器７１を立て掛けることができる自由度が増え、どの角度からでも容易に液体容器７１を立て掛けることができる。
【００３６】
また、第４の実施の形態は、別の説明をすると、三角形のベース２２に三角形の溝を設け、その三角形の溝（第１の溝）内に格子状の溝（第２の溝）を設け、その第１の溝と第２の溝で形成される三角形の上に、底面を三角形とする凸部４３〜４６を設けている。
そして、第１の溝の外周に係止部を設けている。このとき、係止部の設け方は、第１の溝と第２の溝が重なる部分、及び、第１の溝の頂点の部分（四角形状である第１の溝の各頂点）に相応する部分を区切って係止部を設けるようにする。そして、この区切られたそれぞれの係止部が図の係止部４７〜５２となっている。
【００３７】
なお、第２の実施の形態における液体容器保持具１１を単に繋ぎ合わせるようにしてもよい。この場合には、各凸部４３〜４６の各底辺の周りに係止部が設けられることになり、凸部と凸部の間には２つの係止部が並行して設けられる。
また、凸部と凸部との間に設ける係止部を１つにしてもよい。
【００３８】
最後に、本発明の上記実施形態は、何れも最良の実施形態としての単なる例に過ぎず、本発明の原理や構造等をより良く理解することができるようにするために述べられたに止まるものであって、添付の特許請求の範囲を限定する趣旨のものでない。
したがって、本発明の上記実施形態に対してなされ得る多種多様な変形ないし修正はすべて本発明の範囲内に含まれるものであり、添付の特許請求の範囲によって保護されるものと解さなければならない。
また、いうまでもないが、本発明の液体容器保持具は、袋状の液体容器７１を立て掛ける用途に即して記述されたが、袋状の液体容器７１以外の平面状の物（例えば、メモ用紙、手紙、カードなど）を保持する用途として用いられることを排除するものでない。
また、凸部が三角錐、四角錐について説明したが、５角錐や６角錐等の多角錐であってもよいし、円錐や円柱であってもよい。
また、凸部は錐体であるようにしたが、錐体の上部の頂点を丸くしたり、上部の頂点をなくした状態（上部を切り取った状態）であってもよい。つまり、凸部は平面状の物を立て掛けることができる形状であればなんでもよい。
また、凸部を三角錐や四角錐の錐体としたが、厳密な錐体でなくてもよく、例えば、角や頂点が丸くなっているようなものでもよい。
【図面の簡単な説明】
【００３９】
【図１】第１実施形態に係る本発明の保持具１の斜視図である。
【図２】液体容器保持具１の上面図及び立面図である
【図３】第１実施形態における液体容器の保持のされた方を説明する図である。
【図４】第２実施形態に係る本発明の液体容器保持具１１の斜視図である。
【図５】第３実施形態に係る本発明の液体容器保持具２１の斜視図である。
【図６】第４実施形態に係る本発明の液体容器保持具４１の斜視図である。
【図７】液体容器の１つである納豆のたれ容器を示す図である。
【符号の説明】
【００４０】
１          液体容器保持具
２          ベース
３          凸部
４〜７      係止部
１１        液体容器保持具
１２        ベース
１３        凸部
１４〜１６  係止部
２１        液体容器保持具
２２        ベース
２３〜２６  凸部
２７〜３４  係止部
４１        液体容器保持具
４２        ベース
４３〜４６  凸部
４７〜５２  係止部
７１        液体容器
【図１】
2007236522.tif 000003
【図２】
2007236522.tif 000004
【図３】
2007236522.tif 000005
【図４】
2007236522.tif 000006
【図５】
2007236522.tif 000007
【図６】
2007236522.tif 000008
【図７】
2007236522.tif 000009